(57)【特許請求の範囲】
【請求項１】
磁性の可動鉄心、及びこの可動鉄心の被吸引部に対向する磁極を有する磁性の固定鉄心を備え、前記可動鉄心が前記固定鉄心に吸引される動作によって自動遮断する回路遮断器において、前記可動鉄心における前記固定鉄心の磁極側に、前記固定鉄心の磁極に対向して設けられ前記可動鉄心とで可動鉄心部を構成する磁性の補助鉄心が設けられ、前記磁極及び前記可動鉄心の被吸引部の相互間に生じる磁気吸引力と、前記磁極及び前記補助鉄心の相互間に生じる磁気吸引力とによって、前記可動鉄心部が前記固定鉄心に吸引される動作によって自動遮断する回路遮断器であって、
前記補助鉄心が、前記補助鉄心と前記固定鉄心の前記磁極との間の初期ギャップの前記対向の方向の長さＢが、前記可動鉄心と前記固定鉄心の前記磁極との間の初期ギャップの前記対向の方向の長さＡより短く、前記可動鉄心部の引きはずしストロークを減らすことなく前記可動鉄心部と前記固定鉄心のとの間の初期ギャップを縮める補助鉄心であり、
前記可動鉄心部は、その中間部で前記固定鉄心に枢着され、この枢着された部分から離間した両端の一方に遮断器トリップを行う操作片部を有し、前記両端の他方に前記被吸引部を有し、前記磁極に前記被吸引部が磁気的に吸引されてない非吸引動作状態において、前記磁極の前記被吸引部側の磁極端面と、前記被吸引部との対向ギャップ長が、前記枢着された部分から離れるほど長く、
前記磁極に前記被吸引部が吸引されてない非吸引動作状態において、前記補助鉄心と前記磁極とが対向している全範囲内で前記補助鉄心と前記磁極との対向ギャップ長が実質的に一定であり、
前記磁極に前記被吸引部が磁気的に吸引されている状態において、前記補助鉄心が前記固定鉄心と当接していない
ことを特徴とする回路遮断器。
【請求項２】
請求項１に記載の回路遮断器において、
前記可動鉄心と前記補助鉄心とが一体化されている
ことを特徴とする回路遮断器。
【請求項３】
請求項２に記載の回路遮断器において、
前記可動鉄心と前記補助鉄心とが別体であり、これら別体の前記可動鉄心と前記補助鉄心とが結合手段で一体化されている
ことを特徴とする回路遮断器。
【請求項４】
請求項１〜請求項３の何れか一に記載の回路遮断器において、
前記補助鉄心が設けられる前の前記可動鉄心の引き外しストロークと前記補助鉄心が設けられた後の前記可動鉄心の引き外しストロークとが同じである
ことを特徴とする回路遮断器。
【請求項５】
請求項１〜請求項４の何れか一に記載の回路遮断器において、
前記可動鉄心部と前記固定鉄心との間の初期ギャップが、前記補助鉄心が設けられる前より、前記補助鉄心が設けられた後の方が短い
ことを特徴とする回路遮断器。
【請求項６】
請求項１〜請求項５の何れか一に記載の回路遮断器において、
前記固定鉄心が、互いに所定距離隔てて対向する一対の側壁部と、前記一対の側壁部の各々の一端を橋絡する橋絡部とで構成され、
負荷電流が流れる導体が、前記一対の側壁部と前記橋絡部とで囲まれると共に前記橋絡部寄りに配設され、
前記一対の側壁部の各々の互いに対向する他端が前記磁極である
ことを特徴とする回路遮断器。
【請求項７】
請求項６に記載の回路遮断器において、
前記互いに対向する他端の前記磁極の前記橋絡部と反対側の端面に前記可動鉄心が対向し、
前記互いに対向する前記磁極の互いに対向する側面に前記補助鉄心が対向する
ことを特徴とする回路遮断器。
【請求項８】
請求項６に記載の回路遮断器において、
前記互いに対向する前記磁極の前記橋絡部と反対側の端面を仮想的に延長した面と、前記補助鉄心の前記橋絡部側の面を仮想的に延長した面とが同一面もしくは平行ではない
ことを特徴とする回路遮断器。
【請求項９】
請求項６に記載の回路遮断器において、
前記互いに対向する前記磁極の前記橋絡部と反対側の端面を仮想的に延長した面と、前記補助鉄心の前記橋絡部側の面を仮想的に延長した面とが同一面もしくは平行である
ことを特徴とする回路遮断器。
【請求項１０】
請求項６〜請求項９の何れか一に記載の回路遮断器において、
前記補助鉄心が、前記固定鉄心の一対の側壁部の間に配設され、
前記補助鉄心の、前記固定鉄心の一対の側壁部の対向方向の幅が、前記被吸引部の前記一対の側壁部の対向方向の幅より狭い
ことを特徴とする回路遮断器。
【発明の詳細な説明】
【技術分野】
【０００１】
この発明は、磁性の可動鉄心、及びこの可動鉄心の被吸引部に対向する磁極を有する磁性の固定鉄心を備え、前記可動鉄心が前記固定鉄心に吸引される動作によって自動遮断する回路遮断器に関するものである。
【背景技術】
【０００２】
図８は従来の回路遮断器の引き外し装置の要部を示す斜視図であり、図９は図８の側面図である。図において、１は固定鉄心であり、鉄板等の磁性材料で平板状に形成され、２はマグサポートであり、ステンレス鋼板等の非磁性材料をコの字状に折り曲げて形成され、コの字状に折り曲げた一対の側辺には、下端部に一対のストッパ２ａ、上端部に一対のスプリング掛止片２ｂ、ほぼ中央部に一対のＵ字溝２ｃを有している。３はヒータであり、下端部はＬ字状でシャント端子（図示せず）と締結する雌ねじ３ａが、上端部には負荷側端子４に接続された接続導体５が接続されている。６は平板状のバイメタルすなわち熱動素子であり、固定鉄心１との間にヒータ３およびマグサポート２を挟持してリベット７により一体に固着されている。８はバイメタル６の自由端に取付けられた調整ねじであり、サーマル動作特性を調整する。９は止めナットである。
【０００３】
１０は可動鉄心であり、鉄板等の磁性材料でコの字状に折り曲げて形成され、固定鉄心１に対向する一対の可動片１０ａと、コの字状に折り曲げた一対の側辺には軸受け部１０ｂと、コの字状に折り曲げられた一側辺は上方向に延び、その先端には開閉機構部のトリップバー（図示せず）を押圧する操作片１０ｃと、およびコの字状の底面にはマグサポート２のストッパ２ａに押し付けられる突起１０ｄを有している。１１はダブルトーション形の復帰スプリングであり、可動鉄心１０のほぼ中央部にシャフト１２により回動自在に軸支されると共に、ダブルトーションの足１１ａは上記スプリング掛止片２ｂに掛止される。さらに、このシャフト１２はマグサポート２の一対のＵ字溝２ｃに挿入されて引き外し装置が組み立てられる。
【０００４】
このような回路遮断器の引き外し装置においては、接続導体５とシャント端子に接続されたヒータ３に電流が流れると、固定鉄心１と可動鉄心１０とを通る磁束が発生する。電磁による引き外し時には磁束によって生じる吸引力により、可動鉄心１０が復帰スプリング１１のばね力に反して瞬時に固定鉄心１に吸引される。この可動鉄心１０の作動により開閉機構部のトリップバーは回動され自動遮断が行われる。また、熱動による引き外し時にはバイメタル８の湾曲動作により開閉機構部のトリップバーは回動され、その後は上記と同様の動作により自動遮断される。 
【先行技術文献】
【特許文献】
【０００５】
【特許文献１】特開平８−９６６８９号公報（図１〜３及びその説明）
【発明の概要】
【発明が解決しようとする課題】
【０００６】
上記のような回路遮断器の引き外し装置において、瞬時引き外し電流値が低く設定されている低インスト形の引き外し装置を構成する場合、可動鉄心１０の内側へコの字状に折り曲げた補助鉄心（磁性材料）を追加（図示せず）し、さらに固定鉄心１を肉厚増し品（磁性材料）へ変更（図示せず）している。前記構成により、対向配置されている可動片と固定鉄心１の磁気対向面積を増すことで、前記固定鉄心１と前記可動片の吸引力を上げているが、可動鉄心部、固定鉄心部ともに寸法増加を伴うため、引き外し装置が大型化してしまうという問題があった。また、標準機種に対して補助鉄心の追加だけでなく、固定鉄心の変更も必要なため組立時間及び部品の種類が増えるという課題がある。
【０００７】
この発明は、前述のような実情に鑑みてなされたもので、可動鉄心の引きはずしストロークは減少させず、且つ前記固定鉄心の磁極と前記可動鉄心部との初期磁気ギャップを短くでき、固定鉄心への可動鉄心の高い吸引力を確保することを目的とするものである。
【課題を解決するための手段】
【０００８】
本発明に係る回路遮断器は、磁性の可動鉄心、及びこの可動鉄心の被吸引部に対向する磁極を有する磁性の固定鉄心を備え、前記可動鉄心が前記固定鉄心に吸引される動作によって自動遮断する回路遮断器において、前記可動鉄心における前記固定鉄心の磁極側に、前記固定鉄心の磁極に対向して設けられ前記可動鉄心とで可動鉄心部を構成する磁性の補助鉄心が設けられ、前記磁極及び前記可動鉄心の被吸引部の相互間に生じる磁気吸引力と、前記磁極及び前記補助鉄心の相互間に生じる磁気吸引力とによって、前記可動鉄心部が前記固定鉄心に吸引される動作によって自動遮断する回路遮断器であって、
前記補助鉄心が、前記補助鉄心と前記固定鉄心の前記磁極との間の初期ギャップの前記対向の方向の長さＢが、前記可動鉄心と前記固定鉄心の前記磁極との間の初期ギャップの前記対向の方向の長さＡより短く、前記可動鉄心部の引きはずしストロークを減らすことなく前記可動鉄心部と前記固定鉄心のとの間の初期ギャップを縮める補助鉄心であり、
前記可動鉄心部は、その中間部で前記固定鉄心に枢着され、この枢着された部分から離間した両端の一方に遮断器トリップを行う操作片部を有し、前記両端の他方に前記被吸引部を有し、前記磁極に前記被吸引部が磁気的に吸引されてない非吸引動作状態において、前記磁極の前記被吸引部側の磁極端面と、前記被吸引部との対向ギャップ長が、前記枢着された部分から離れるほど長く、
前記磁極に前記被吸引部が吸引されてない非吸引動作状態において、前記補助鉄心と前記磁極とが対向している全範囲内で前記補助鉄心と前記磁極との対向ギャップ長が実質的に一定であり、
前記磁極に前記被吸引部が磁気的に吸引されている状態において、前記補助鉄心が前記固定鉄心と当接していない
ことを特徴とする回路遮断器である。 
【発明の効果】
【０００９】
本発明は、磁性の可動鉄心、及びこの可動鉄心の被吸引部に対向する磁極を有する磁性の固定鉄心を備え、前記可動鉄心が前記固定鉄心に吸引される動作によって自動遮断する回路遮断器において、前記可動鉄心における前記固定鉄心の磁極側に、前記固定鉄心の磁極に対向して設けられ前記可動鉄心とで可動鉄心部を構成する磁性の補助鉄心が設けられ、前記磁極及び前記可動鉄心の被吸引部の相互間に生じる磁気吸引力と、前記磁極及び前記補助鉄心の相互間に生じる磁気吸引力とによって、前記可動鉄心部が前記固定鉄心に吸引される動作によって自動遮断する回路遮断器であって、前記補助鉄心が、前記補助鉄心と前記固定鉄心の前記磁極との間の初期ギャップの前記対向の方向の長さＢが、前記可動鉄心と前記固定鉄心の前記磁極との間の初期ギャップの前記対向の方向の長さＡより短く、前記可動鉄心部の引きはずしストロークを減らすことなく前記可動鉄心部と前記固定鉄心のとの間の初期ギャップを縮める補助鉄心であり、前記可動鉄心部は、その中間部で前記固定鉄心に枢着され、この枢着された部分から離間した両端の一方に遮断器トリップを行う操作片部を有し、前記両端の他方に前記被吸引部を有し、前記磁極に前記被吸引部が磁気的に吸引されてない非吸引動作状態において、前記磁極の前記被吸引部側の磁極端面と、前記被吸引部との対向ギャップ長が、前記枢着された部分から離れるほど長く、前記磁極に前記被吸引部が吸引されてない非吸引動作状態において、前記補助鉄心と前記磁極とが対向している全範囲内で前記補助鉄心と前記磁極との対向ギャップ長が実質的に一定であり、前記磁極に前記被吸引部が磁気的に吸引されている状態において、前記補助鉄心が前記固定鉄心と当接していないことを特徴とする回路遮断器であるので、可動鉄心の引きはずしストロークは減少させず、且つ前記固定鉄心の磁極と前記可動鉄心部との初期磁気ギャップを短くでき、固定鉄心への可動鉄心の高い吸引力を確保することができる。
【図面の簡単な説明】
【００１０】
【図１】本発明の実施の形態１を示す図で、回路遮断器の引き外し装置の要部の一例を示す斜視図である。
【図２】本発明の実施の形態１を示す図で、回路遮断器の引き外し装置の要部の一例を示す側面図である。
【図３】本発明の実施の形態１を示す図で、図２におけるIII−III線から矢印の方向に見た一部断面の平面図である。
【図４】本発明の実施の形態１を示す図で、図１〜図４に例示する引き外し装置を組込んだ回路遮断器の内部構造の一例を示す側面図である。
【図５】本発明の実施の形態２を示す図で、回路遮断器の引き外し装置の要部の他の例を示す斜視図である。
【図６】本発明の実施の形態２を示す図で、回路遮断器の引き外し装置の要部の他の例を示す側面図である。
【図７】本発明の実施の形態２を示す図で、図６におけるVII−VII線から矢印の方向に見た一部断面の平面図である。
【図８】従来の回路遮断器の引き外し装置の要部を示す斜視図である。
【図９】従来の回路遮断器の引き外し装置の要部を示す側面図である。
【発明を実施するための形態】
【００１１】
実施の形態１．
以下この発明の実施の形態１を図１〜図４により説明する。図１は回路遮断器の引き外し装置の要部の一例を示す斜視図、図２は回路遮断器の引き外し装置の要部の一例を示す
側面図、図３は図２におけるIII−III線から矢印の方向に見た一部断面の平面図、図４は図１〜図４に例示する引き外し装置を組込んだ回路遮断器の内部構造の一例を示す側面図である。
【００１２】
図１〜図４において、回路遮断器２０は、ベース２１、カバー２２、電源側端子２３、引き外し装置２４、可動子ホルダ２５、取付けねじ２６、開閉機構部２７、及び負荷側端子２８を備えている。
【００１３】
ベース２１及びカバー２２は、何れも合成樹脂材料で形成されている。取付けねじ２６は、引き外し装置２４と可動子ホルダ２５とを接続するものである。開閉機構部２７は、周知のトリップバー２７ａを備えている。
【００１４】
引き外し装置２４は、固定鉄心３１、ヒータ導体３２、バイメタル等の熱動素子３３、リベット３４、調整ねじ３５、止めナット３６、可動鉄心３７、補助鉄心４１、復帰スプリング３８、及びシャフト３９を備えている。 
【００１５】
固定鉄心３１は、鉄板等の一枚の磁性材をほぼコの字状に折り曲げることにより形成され、スプリング掛止片部３１ａ、一対の脚部３１ｂ、橋絡部３１ｃ、一対の側壁部３１ｄ、および一対の当接面（磁極端面）３１ｅ、ストッパー３１ｇを一体に備えている。
【００１６】
可動鉄心３７は、鉄板等の一枚の磁性材により、可動片と言われる被吸引部３７ａ、一対の軸受け部３７ｂ、及び操作片部３７ｃが一体に形成されている。
【００１７】
可動鉄心３７には、その中間部に、コの字状に折り曲げた一対の側辺部のそれぞれに形成された前記軸受け部３７ｂが、中央部から上方に延設され開閉機構部２７のトリップバー２７ａを押圧する前記操作片部３７ｃが、下部に、固定鉄心３１の一対の磁極に対向する前記被吸引部３７ａが、それぞれ形成されている。
【００１８】
復帰スプリング３８は、ダブルトーション形のねじりコイルバネであり、密着巻きされたコイル部３８ａと一対の足３８ｂ、３８ｃとを有し、可動鉄心３７と固定鉄心３１との間に係合し、常時可動鉄心３７を固定鉄心３１から引き離す方向に付勢している。
【００１９】
補助鉄心４１は、鉄板等の一枚の磁性材をコの字状に折り曲げて形成され、可動鉄心３７の固定鉄心側の面へスポット溶接などの結合手段によって結合されている。補助鉄心４１の上端は、復帰スプリング３８を可動鉄心３７に系合させるため、矩形状に刳り貫かれた矩形状切欠部４１ａが設けられ、この矩形状切欠部４１ａ内に前記復帰スプリング３８のコイル部３８ａの一部が配設されている。
【００２０】
シャフト３９は、ステンレス等の非磁性のシャフトである。
【００２１】
ヒータ導体３２は、導体を折り曲げて形成され、その下端部に、Ｌ字状で可動子ホルダ２５と取付けねじ２６で締結する雌ねじ３２ａを、中央部にヒータ部３２ｂを有している。
【００２２】
平板状のバイメタル等からなる熱動素子３３は、その下端部と固定鉄心３１の橋絡部３１ｃとの間にヒータ導体３２のヒータ部３２ｂを挟持するように配設されている。熱動素子３３の下端部と固定鉄心３１の橋絡部３１ｃとヒータ導体３２のヒータ部３２ｂとは、リベット３４により、一体に固着されている。
【００２３】
熱動素子３３の下端部は、ヒータ導体３２のヒータ部３２ｂとは面接触し、ヒータ部３
２ｂにより加熱される。熱動素子３３の自由端には止めナット３６によって取付けられた調整ねじ３５が設けられており、この調整ねじ３５により、周知のように、熱動素子３３により遮断動作するサーマル動作特性が調整される。
【００２４】
ヒータ導体３２のヒータ部３２ｂの熱動素子３３と反対側の面及び当該面に連接する両端面は、前記固定鉄心３１の橋絡部３１ｃと前記固定鉄心３１の両側壁部３１ｄとによって包囲されており、ヒータ部３２ｂに流れる負荷電流によって生じる磁束の主磁気回路は、前記固定鉄心３１の橋絡部３１ｃと、前記固定鉄心３１の両側壁部３１ｄと、前記可動鉄心３７の被吸引部３７ａと前記補助鉄心４１を通る。
【００２５】
前記固定鉄心３１の磁極に吸引されていない状態における前記補助鉄心４１と前記固定鉄心との間の最短の初期ギャップ長をＢ１としたとき、前記固定鉄心３１の磁極に吸引されていない状態における固定鉄心３１と可動鉄心３７の間の最短の初期ギャップ長をＡとしたとき、前記初期ギャップＡと前記初期ギャップＢ１との大小関係は、Ｂ１＜Ａとしてある。
【００２６】
このように構成された回路遮断器において、過負荷電流が電源側端子２３→可動子ホルダ２５→雌ねじ３２ａ→ヒータ部３２ｂ→負荷側端子２８の経路で流れると、ヒータ部３２ｂの発熱でバイメタル３３が加熱され湾曲する。この湾曲により、バイメタル３３に取付けられた調整ねじ３５でトリップバー２７ａを押し、開閉機構部２７が動作して回路遮断器をトリップさせる。
【００２７】
また、ヒータ部３２ｂに短絡電流等の大電流が流れると、該大電流により発生する磁束により固定鉄心３１が強く磁化され、固定鉄心３１に補助鉄心４１および可動鉄心３７の被吸引部３７ａが瞬時に吸引され、シャフト３９を中心に、復帰スプリング３８のばね力に反して、可動鉄心３７が回動し、この可動鉄心３７の回動に伴って操作片部３７ｃがシャフト３９を中心に回動する。この操作片部３７ｃの回動により、操作片部３７ｃがトリップバー２９ａを押して前述と同様に回路遮断器をトリップさせ遮断動作を行う。
【００２８】
前述の本実施の形態１のように構成された回路遮断器では、その引き外し装置において、形状が簡素な補助鉄心４１を追加することにより、可動鉄心３７の引き外しストロークを変えずに固定鉄心３１と可動鉄心部との間の初期ギャップを短縮することができ、固定鉄心３１の可動鉄心３７との磁力に加え、補助鉄心４１と固定鉄心３１の磁力を発生させることが可能であり、固定鉄心３１への可動鉄心部５１の吸引力向上を実現できる。
【００２９】
また、吸引力は対向面積に比例し、ギャップの２乗に反比例するため、固定鉄心３１と可動鉄心３７の対向面積を増さなくても、換言すれば固定鉄心３１および可動鉄心３７の外形寸法を増さなくても、固定鉄心３１と可動鉄心部５１との間の初期ギャップを短縮することにより２乗比例的に吸引力を向上できる。
【００３０】
前述のように、本実施の形態１には、磁性の可動鉄心３７、およびこの可動鉄心３７の被吸引部３７ａに対向する磁極を有する磁性の固定鉄心３１を備え、前記可動鉄心３７を回動自在に支持する支持構造部が前記固定鉄心に設けられ、前記固定鉄心３１の磁極および前記可動鉄心の被吸引部３７ａの相互間に生じる磁気吸引力により前記可動鉄心３７と前記補助鉄心４１が前記固定鉄心３１に吸引される動作によって自動遮断する回路遮断器であって、動作時には前記補助鉄心４１が前記固定鉄心３１の内側へもぐり込む構造の低インスト形の回路遮断器が例示されている。 
【００３１】
また、前述のように、本実施の形態１には、前記可動鉄心３７の被吸引部３７ａと前記固定鉄心３１の磁極との初期ギャップＡと、前記補助鉄心４１と前記固定鉄心に吸引され
ていない状態における前記補助鉄心４１と前記固定鉄心３１との初期ギャップＢ１との大小関係が、Ｂ１＜Ａである低インスト形の回路遮断器が例示されている。
【００３２】
また、前述のように、本実施の形態１には、ヒータ導体３２と、前記ヒータ導体３２と一体に取り付けられ上端部にスプリング掛止片３１ａおよび一対の磁極を有する固定鉄心３１と、前記固定鉄心３１の磁極に対向する被吸引部３７ａと中央部に一対の軸受け部３７ｂと上端部にトリップバー２７ａを押圧する操作片２７ｃを有し前記ヒータ導体３２に流れる短絡電流に基づいて回動する可動鉄心３７と、前記可動鉄心３７の軸受け部３７ｂに復帰スプリング３８を有する回路遮断器において、動作時にも引き外しストロークを減らすことなく固定鉄心３１と可動鉄心部５１の磁気ギャップを短縮することが可能な低インスト形の回路遮断器が例示されている。
【００３３】
また、本実施の形態１では、標準機種から低インスト形遮断器の仕様変更に際して、製造組み立て工程に起因する部品変更数が少なく（従来は２点、本発明では１点）、高い吸引特性を実現することが可能となる。
【００３４】
実施の形態２．
以下、この発明の実施の形態２を図６、図７によって説明する。図６は回路遮断器の引き外し装置の要部の他の例を示す斜視図、図７は図６におけるVII−VII線から矢印の方向に見た一部断面の平面図である。
【００３５】
本実施の形態２においては、図６、図７に例示のように、磁性の可動鉄心３７、及びこの可動鉄心３７の被吸引部３７ａに対向する磁極を有する磁性の固定鉄心３１を備え、前記可動鉄心３７を回動自在に支持する支持構造部が、前記固定鉄心３１と前記可動鉄心３７とに跨って設けられ、前記固定鉄心３１及び可動鉄心部５１の相互間に生じる磁気吸引力により可動鉄心部５１（前記可動鉄心３７および前記補助鉄心４１の組み立て体）が前記固定鉄心３１に吸引される動作によって自動遮断する低インスト形の回路遮断器であって、前記固定鉄心３１の磁極から生じる磁力を増大する磁気増大構造が、前記可動鉄心部５１に設けられている回路遮断器である。
【００３６】
本実施の形態２においては前記補助鉄心４２が前記固定鉄心３１の当接面（磁極端面）３１ｅに沿うような形状とする低インスト形の回路遮断器が例示されている。
【００３７】
前記固定鉄心３１の磁極に吸引されていない状態における前記補助鉄心４２と前記固定鉄心との間の初期ギャップをＢ２としたとき、可動鉄心３７と固定鉄心３１との初期ギャップＡとの大小関係は、Ｂ２＜Ａとなる。 
【００３８】
また本実施の形態２では周知のとおり前記補助鉄心４２が前記固定鉄心３１の当接面（磁極端面）３１ｅに沿うような形状としているため、前記固定鉄心３１と前記補助鉄心４２の初期ギャップＣを前記補助鉄心底面側まで均等としているため、引きはじめの吸引力を効率的に出すことができ、吸引トルクを増大させている。
【００３９】
本実施の形態２における上述以外の構造および機能は、前述の実施の形態１と同じであるので、その説明は割愛する。
【００４０】
また、前述の本願発明の実施の形態１及び実施の形態は、更に言及すれば、以下のような具体的な特徴を有している。
［特徴１］
磁性の可動鉄心３７、及びこの可動鉄心３７の被吸引部３７ａに対向する磁極３１ｆを有する磁性の固定鉄心３１を備え、前記可動鉄心３７が前記固定鉄心３１に吸引される動作によって自動遮断する回路遮断器において、
前記可動鉄心３７における前記固定鉄心３１の磁極３１ｆ側に、前記固定鉄心３１の磁極３１ｆに対向して設けられ前記可動鉄心３７とで可動鉄心部５１を構成する磁性の補助鉄心４１が設けられ、
前記磁極３１ｆ及び前記可動鉄心３７の被吸引部３７ａの相互間に生じる磁気吸引力と、前記磁極３１ｆ及び前記補助鉄心４１の相互間に生じる磁気吸引力とによって、前記可動鉄心部５１が前記固定鉄心３１に吸引される動作によって自動遮断する
ことを特徴とする回路遮断器。
［特徴２］
特徴１に記載の回路遮断器において、
前記可動鉄心３７と前記補助鉄心４１とが一体化されている（図２、図３、図６、図７を参照）
ことを特徴とする回路遮断器。
［特徴３］
特徴２に記載の回路遮断器において、
前記可動鉄心３７と前記補助鉄心４１とが別体であり、これら別体の前記可動鉄心３７と前記補助鉄心４１とが結合手段で一体化されている
ことを特徴とする回路遮断器。
［特徴４］
特徴１〜特徴３の何れか一に記載の回路遮断器において、
前記補助鉄心４１が設けられる前の前記可動鉄心３７の引き外しストロークと前記補助鉄心４１が設けられた後の前記可動鉄心３７の引き外しストロークとが同じである
ことを特徴とする回路遮断器。
なお、前記可動鉄心３７の引き外しストロークとは、可動鉄心３７が固定鉄心３１に吸着されるまでの操作片部３７ｃの移動距離である。
［特徴５］
特徴１〜特徴４の何れか一に記載の回路遮断器において、
前記可動鉄心部５１と前記固定鉄心３１との間の初期ギャップが、前記補助鉄心が設けられる前（前記可動鉄心３７と前記固定鉄心３１との間の初期ギャップ）より、前記補助鉄心が設けられた後（前記補助鉄心４１と前記固定鉄心３１との間の初期ギャップ）の方が短い
ことを特徴とする回路遮断器。
なお、前記「初期ギャップ」とは、「前記可動鉄心部５１が前記固定鉄心３１に磁気的に吸引されていない状態における前記可動鉄心部５１と前記固定鉄心３１との間の前記磁気的吸引に寄与する間隔（ギャップ）のうちの最短の間隔（ギャップ）」のことである。
［特徴６］
特徴１〜特徴５の何れか一に記載の回路遮断器において、
前記固定鉄心３１が、互いに所定距離隔てて対向する一対の側壁部３１ｄ，３１ｄと、前記一対の側壁部３１ｄ，３１ｄの各々の一端を橋絡する橋絡部３１ｃとで構成され、
負荷電流が流れるヒータ導体３２が、前記一対の側壁部３１ｄ，３１ｄと前記橋絡部３１ｃとで囲まれると共に前記橋絡部３１ｃ寄りに配設され、
前記一対の側壁部３１ｄ，３１ｄの各々の互いに対向する他端が前記磁極３１ｆ，３１ｆである（図２、図３、図６、図７参照）
ことを特徴とする回路遮断器。
［特徴７］
特徴６に記載の回路遮断器において、
前記互いに対向する他端の前記磁極３１ｆ，３１ｆの前記橋絡部３１ｃと反対側の磁極端面３１ｅに前記可動鉄心３７が対向し、（図２参照）
前記互いに対向する前記磁極３１ｆ，３１ｆの互いに対向する側面３１ｆｅに前記補助鉄心４１が対向する（図３参照）ことを特徴とする回路遮断器。
［特徴８］
特徴６に記載の回路遮断器において、
前記補助鉄心４１と前記固定鉄心３１の前記磁極３１ｆとの間の初期ギャップの前記対向方向の長さＢが、前記可動鉄心３７と前記固定鉄心３１の前記磁極３１ｆとの間の初期ギャップの前記対向方向の長さＡより短い（図３、図７参照）
ことを特徴とする回路遮断器。
［特徴９］
特徴６に記載の回路遮断器において、
前記互いに対向する前記磁極３１ｆ，３１ｆの前記橋絡部３１ｃと反対側の磁極端面３１ｅを仮想的に延長した面と、前記補助鉄心４１の前記橋絡部３１ｃ側の面４１ｅを仮想的に延長した面とが同一面もしくは平行ではない（図２、図３参照）
ことを特徴とする回路遮断器。
［特徴１０］
請求項６に記載の回路遮断器において、
前記互いに対向する前記磁極３１ｆ，３１ｆの前記橋絡部３１ｃと反対側の磁極端面３１ｅを仮想的に延長した面と、前記補助鉄心４１の前記橋絡部側３１ｃの面４１ｅを仮想的に延長した面とが同一面もしくは平行である（図６、図７参照）
ことを特徴とする回路遮断器。
［特徴１１］
特徴１〜特徴１０の何れか一に記載の回路遮断器において、
前記可動鉄心部５１は、その中間部で前記固定鉄心３１にシャフト３９で枢着され、この枢着された部分から離間した両端の一方に遮断器トリップを行う操作片部３７ｃを有し、前記両端の他方に前記被吸引部３７ａを有し、（図１、図２、図５、図６参照）
前記磁極３１ｆに前記被吸引部３７ａが磁気的に吸引されてない非吸引動作状態において、前記磁極３１ｆの前記被吸引部３７ａ側の磁極端面３１ｅと、前記被吸引部３７ａとの対向ギャップ長が、前記枢着された部分から離れるほど長く、
前記磁極３１ｆに前記被吸引部３７ａが磁気的に吸引されてない非吸引動作状態において、前記補助鉄心４１と前記磁極３１ｆとが対向している全範囲内で前記補助鉄心４１と前記磁極３１ｆとの対向ギャップ長Ｂが実質的に一定である（図２、図３、図６、図７参照）
ことを特徴とする回路遮断器。
［特徴１２］
特徴１〜特徴１１の何れか一に記載の回路遮断器において、
前記磁極３１ｆに前記被吸引部３７ａが磁気的に吸引されている状態において、前記補助鉄心４１が前記固定鉄心３１と当接していない（図２、図３、図６、図７参照）
ことを特徴とする回路遮断器。
［特徴１３］
特徴６〜特徴１２の何れか一に記載の回路遮断器において、
前記補助鉄心４１が前記一対の側壁部３１ｄ，３１ｄの間に配設され、
前記補助鉄心４１の前記一対の側壁部３１ｄ，３１ｄの対向方向の幅４１Ｗが、前記被吸引部３７ａの前記一対の側壁部３１ｄ，３１ｄの対向方向の幅３７Ｗより狭い（図３、図７を参照）
ことを特徴とする回路遮断器。
［特徴１４］
磁性の可動鉄心部３７、及びこの可動鉄心部５１の被吸引部３７ａに対向する磁極３１ｆを有する磁性の固定鉄心３１を備え、前記磁極３１ｆ及び被吸引部３７ａの相互間に生じる磁気吸引力により前記可動鉄心部５１が前記固定鉄心３１に吸引される動作によって自動遮断する回路遮断器であって、可動鉄心部５１の引きはずしストロークを減らすことなく、可動鉄心部５１と固定鉄心３１の初期ギャップを縮める補助鉄心４１を用いたことを特徴とする低インスト形の回路遮断器。
［特徴１５］
特徴１４に記載の回路遮断器において、
前記可動鉄心３７および、前記可動鉄心３７に接合されている補助鉄心４１が回動自在に取り付けられており、吸引動作前において、前記補助鉄心４１が固定鉄心３１の内側へもぐり込んでいることを特徴とする低インスト形の回路遮断器。
［特徴１６］
特徴１５に記載の回路遮断器において、
前記可動鉄心３７の被吸引部３７ｅと前記固定鉄心３１の磁極との初期ギャップＡと、前記補助鉄心４１と前記固定鉄心３１の磁極３１ｆとの間の初期ギャップＢとの大小関係が、Ｂ＜Ａであることを特徴とする低インスト形の回路遮断器。
［特徴１７］
特徴１４から特徴１６のいずれか一に記載の回路遮断器において、
前記補助鉄心４１が前記固定鉄心３１の磁極端面３１ｅに当接するような形状であり、前記固定鉄心３１と前記補助鉄心４１の初期ギャップを前記補助鉄心４１底面側まで均等としているため、可動鉄心回動軸（シャフト等）３９から離れた可動鉄心部５１の底面側でも引き付け力が働くことを特徴とする低インスト形の回路遮断器。
［特徴１８］
特徴１４から特徴１６のいずれか一に記載の回路遮断器において、
前記補助鉄心４１が前記固定鉄心３１の磁極端面３１ｅに一定のギャップを保ち、沿うような形状であって前記固定鉄心３１と前記補助鉄心４１の初期ギャップを前記補助鉄心４１底面側まで均等としているため、可動鉄心回動軸３９から離れた可動鉄心部の底面側でも引き付け力が働くことを特徴とする低インスト形の回路遮断器。
［特徴１９］
前記可動鉄心部・固定鉄心部の外形寸法増加なく吸引力の向上を実現し、さらに標準機種から低インスト形遮断器の仕様変更に際して変更箇所が一点のみの安価な低インスト形の回路遮断器を提供できる。
［特徴２０］
磁性の可動鉄心、及びこの可動鉄心の被吸引部に対向する磁極を有する磁性の固定鉄心を備え、前記磁極及び被吸引部の相互間に生じる磁気吸引力により前記可動鉄心が前記固定鉄心に吸引される動作によって自動遮断する回路遮断器であって、前記固定鉄心に簡素な形状の補助鉄心という磁力増幅部品が設けられている低インスト形の回路遮断器を提供できる。
［特徴２１］
従来のような可動鉄心と固定鉄心との対向面積を増す、比例的な吸引力増加方式をとるのではなく、初期ギャップを減らすことによって、２乗比例的な吸引力増加方式をとることを特徴とする。また、可動鉄心の引きはずしストロークを減らすことなく可動鉄心部と固定鉄心の初期ギャップを短縮するため、補助鉄心が固定鉄心の内側へもぐり込んで回動することを特徴とする。さらに標準機種から低インスト形遮断器の仕様変更に際して変更箇所が一点のみの安価な回路遮断器を提供できる。
【００４１】
なお、図１〜図７の各図中、同一符合は同一または相当部分を示す。
【符号の説明】
【００４２】
２０    回路遮断器、                  ２１    ベース、
２２    カバー、                      ２３    電源側端子、
２４    引き外し装置、                ２５    可動子ホルダ、
２６    取付けねじ、                  ２７    開閉機構部、
２８    負荷側端子、                  ３１    固定鉄心、
３１ａ    スプリング掛止片部、        ３１ｂ    脚部、
３１ｃ    橋絡部、                    ３１ｄ    側壁部、
３１ｅ    当接面（磁極の端面）、      ３１ｆ    磁極、
３１ｆｅ    磁極の側面、              ３１ｇ    ストッパ、
３２    ヒータ導体、                  ３２ａ    雌ねじ、
３２ｂ    ヒータ部、                  ３３    熱動素子（バイメタル）、
３４    リベット、                    ３５    調整ねじ、
３６    止めナット、                  ３７    可動鉄心
３７ａ    被吸引部（可動片）、        ３７ｂ    軸受け部、
３７ｃ    操作片部、                  ３８    復帰スプリング、
３９    シャフト、                    ４１  補助鉄心、  ※実施の形態１
４１ａ  矩形状切欠部
４２  補助鉄心（実施の形態２）、
５１  可動鉄心部（可動鉄心＋補助鉄心）（実施の形態１）、
Ａ    可動鉄心と固定鉄心との初期ギャップ、
Ｂ１    補助鉄心と可動鉄心との初期ギャップ（実施の形態１）、
Ｂ２    補助鉄心と可動鉄心との初期ギャップ（実施の形態２）。
【図１】
0005595225.tif 000002
【図２】
0005595225.tif 000003
【図３】
0005595225.tif 000004
【図４】
0005595225.tif 000005
【図５】
0005595225.tif 000006
【図６】
0005595225.tif 000007
【図７】
0005595225.tif 000008
【図８】
0005595225.tif 000009
【図９】
0005595225.tif 000010